(57)【要約】新しい及び使用済みペンニードル（２０、３０）を保存するための容器（１０）であって、容器（１０）は、１以上の新しいペンニードル（２０）保存するように構成された第１の区画（５０）と、１以上の使用済みペンニードル（３０）を保存するように構成された第２の区画（５２）を含むハウジング（１２）を含み、前記第１及び第２の区画（５０、５２）は、新しい及び使用済みペンニードル（２０、３０）の種々の組み合わせに適合するように大きさが正反対に調節される容器。
2021521915.tif 000002
【特許請求の範囲】
【請求項１】
新しい及び使用済みペンニードルを保存するための容器であって、前記容器が、
１以上の新しいペンニードルを保存するように構成された第１の区画と、
１以上の使用済みペンニードルを保存するように構成された第２の区画と、
を含むハウジングを含み、
前記第１及び第２の区画は、新しい及び使用済みペンニードルの種々の組み合わせに適合して大きさが調節可能である、容器。
【請求項２】
前記第１及び第２の区画は、容器の全体の大きさが同じに維持されながら、正反対に大きさが可変化するように構成された、請求項１に記載の容器。
【請求項３】
前記第２の区画から前記第１の区画を分離する可撓性のセパレータを更に含む、請求項１に記載の容器。
【請求項４】
前記新しい及び使用済みペンニードルの種々の組み合わせに適合して移動する可撓性セパレータを更に含む、請求項１に記載の容器。
【請求項５】
前記可撓性セパレータの末端を前記ハウジングに固定する１以上のピンを更に含む、請求項４に記載の容器。
【請求項６】
汚染を低減するために、前記可撓性セパレータに固定され、且つ第１の区画内に固定された保護用鞘を更に含む、請求項４に記載の容器。
【請求項７】
前記保護用鞘が、ハウジングの内側側面に固定された末端フランジを含む、請求項６に記載の容器。
【請求項８】
前記保護用鞘が、ハウジングの上部及び底部内側表面に加圧され、封止される上部表面及び底部表面を含む、請求項６に記載の容器。
【請求項９】
前記第１及び第２の区画が同じスペースを占めることができる、請求項１に記載の容器。
【請求項１０】
前記第１及び第２の区画が新しい及び使用済みペンニードルを混合しないように、分離して封入される、請求項１に記載の容器。
【請求項１１】
前記種々の組み合わせが、複数の新しいペンニードルを含み、使用済みペンニードルを含まない、請求項１に記載の容器。
【請求項１２】
前記種々の組み合わせが、複数の使用済みペンニードルを含み、新しいペンニードルを含まない、請求項１に記載の容器。
【請求項１３】
前記ハウジングから１以上の新しいペンニードルにアクセスし、これを取り出すドアを更に含む、請求項１に記載の容器。
【請求項１４】
前記１以上の使用済みペンニードルをハウジングに配置するための開口であって、
前記開口が、前記ドアと反対側のハウジングの外側表面に配置される
請求項１３に記載の容器。
【請求項１５】
前記第１及び第２の区画の少なくとも１つがプラスチックバッグを含む、請求項１に記載の容器。
【請求項１６】
前記１以上の使用済みペンニードルの針を曲げるように構成された針曲げ機構を更に含む、請求項１に記載の容器。
【請求項１７】
前記針曲げ機構が開口の近くに固定された曲面を含む、請求項１６に記載の容器。
【請求項１８】
前記１以上の使用済みペンニードルの１つが、開口内に配置され、針曲げ機構に係合したとき、前記使用済みペンニードルの針が、針曲げ機構から外れる前に曲げられ、第２の区画に完全に入る、請求項１６に記載の容器
【請求項１９】
前記針曲げ機構はハウジングに一体化される、請求項１６に記載の容器。
【請求項２０】
前記第２の区画から前記第１の区画を分離するセパレータと、
前記ハウジングに前記セパレータを固定する２以上のピンとを更に含み、
前記２以上のピンがハウジングの溝に沿って移動し、前記第１及び第２の区画の大きさを調節する、請求項１に記載の容器。
【請求項２１】
前記第１の区画を前記第２の区画から分離する可動性セパレータを更に含む、請求項１に記載の容器。
【請求項２２】
前記第１の区画を前記第２の区画から分離する、堅いセパレータを更に含む請求項１に記載の容器。
【請求項２３】
前記可動性のセパレータの一方の末端を前記ハウジングに回転可能に固定する第１のピンと、
前記可動性のセパレータの他方の末端を前記ハウジングの溝に固定する第２のピンとを更に含み、
前記第２のピンが前記溝の上を移動し、前記第１及び第２の区画の大きさを調節するために前記セパレータを移動する、請求項２１に記載の容器。
【請求項２４】
互いに入れ子型になっており、移動の間に長さ及び形状が変化して前記第１及び第２の区画の大きさを調節する、数個のセグメントを有する可撓性セパレータを更に含む、請求項１に記載の容器。
【発明の詳細な説明】
【技術分野】
【０００１】
（関連出願の相互参照）
本出願は、２０１８年４月１９日に提出された米国仮出願番号第６２／６５９，９１２に対する米国特許法１１９条（ｅ）の優先権を主張するものであり、その全体を参照により本明細書に取り込む。
【０００２】
本発明は、薬剤送達ペンに使用するための、新しい及び使用済みペンニードルを封入するペンニードル容器に関する。
【背景技術】
【０００３】
使用前にペンニードルを保存すること、及び、引き続いて、未使用のペンニードルから分離して使用済みペンニードルを保存し、汚染を防止することは、医療界における周知の習慣である。しかし、大きさの制約があり、従って、最適化された針の保存機構（arrangement）が望まれている。
【発明の概要】
【０００４】
新しいペンニードル及び使用済みペンニードルを保存するために同じスペースを再利用するが、混合及び汚染を防止するペンニードル容器を提供することが、本発明の一側面ある。具体的には、柔軟な又は可動性なセパレータが、新しい及び使用済みペンニードルをそれぞれ保存する２区画を分離する。セパレータは、保存される新しい及び使用済みペンニードルの数に応じて正反対に区画の大きさを変化させることができる。
【０００５】
本発明の他の側面は、上述のように、大きさが同様の柔軟性を提供し、汚染を低減するための、例えばプラスチックバッグで作製された区画を提供する。
【０００６】
本発明の更なる側面は、容器内に保護用鞘を提供する。この保護用鞘は柔軟なセパレータに係合し、新しいペンニードルの区画への流体の汚染を防ぐことができる。
【０００７】
最後に、本発明の他の側面は、使用済みペンニードルの針を曲げて、針を使用不能にする針の曲げ機構（bending feature）を提供する。使用済みペンニードルの曲がった針はまた、セパレータが穿刺に耐性である必要性を低減する。
【０００８】
本発明の上記の側面及び／又は他の側面は、新しい及び使用済みペンニードルを保存するための容器であって、１以上の新しいペンニードルを保存するように構成された第１の区画と、１以上の使用済みペンニードルを保存するように構成された第２の区画を含み、前記第１及び第２の区画が、大きさを調節可能であり、新しい及び使用済みペンニードルの種々の組み合わせに適応する容器を提供することによって実現されうる。
【０００９】
本発明の追加の及び／又は他の側面、及び利点は、以下の明細書に説明され、又は明細書から明らかであり、又は本発明の実行によって知ることができるであろう。
【００１０】
本発明の上記側面及び特徴は、添付の図面を参照した本発明の例示的な実施形態の説明からより明らかになるであろう。
【図面の簡単な説明】
【００１１】
【図１】図１は、ペンニードル容器の第１の例示的な実施形態の正面斜視図を示す。
【図２】図２は、図１のペンニードル容器の後部斜視図である。
【図３】図３は、上部カバーを外した図１のペンニードル容器の正面斜視図を示す。
【図４】図４は、上部カバーを外した図１のペンニードル容器の後部斜視図を示す。
【図５】図５は、上部カバーを外した図１のペンニードル容器の上面図を示す。
【図６】図６は、鞘を有し、上部カバーを外したペンニードル容器の第２の例示的実施形態の正面斜視図を示す。
【図７】図７は、針曲げ機構を有し、上部カバーを外したペンニードル容器の第３の例示的実施形態の上面図を示す。
【図８】図８は、図７の針曲げ機構の部分斜視図を示す。
【発明を実施するための形態】
【００１２】
（例示的実施形態の詳細な説明）
図１及び２は、ペンニードル容器１０を示す。ペンニードル容器１０は、外側表面４０、外側側面４１、４３及び外側底面（図示せず）を備える、上部カバーを有するハウジング１２を含む。外側の前部側面４１は、ハウジング１２に保存された新しいペンニードル２０の１つ以上にアクセスし、これらを取り出すためのドア６０を含む。
【００１３】
外側の後部側面４３は、開口６２を含み、１以上の使用済みペンニードル３０をハウジング１２に配置し、又は廃棄する。開口６２は、当産業で周知の、典型的なシャープスコンテナと同様に操作される。具体的には、開口６２は、使用済みペンニードルのハブを、薬剤送達ペンにまだ接続されている間に、係合する。使用者は、続いて、薬剤送達ペンを回転させ薬剤送達ペンからペンニードルを、ねじをゆるめて外す。この後、使用済みペンニードル３０は、ハウジング１２内に入り、取り除くことができなくなる。
【００１４】
開口６２はまた、ドア６０の反対側の外側表面上に配置される。言い換えれば、外側の前部側面４１と外側の後部側面４３は互いに反対側にある。この構成は、有利には、開口６２とドア６０の間の適切な分離を提供することによって、２つのアクセスポート間の混同を防止する。
【００１５】
図３〜５は、カバーを除去し、ハウジング１２の内側底面４２及び内側側面４４を示したペンニードル容器１０を示す。これらの表面４２、４４は、新しい及び使用済みペンニードル１０、３０を支持し、収容する。これらの表面４２、４４は、図１及び２に示されるように、ハウジング１２内に封入される。
【００１６】
図３〜５は。ペンニードル容器１０内の新しいペンニードル２０と使用済みペンニードル３０を示す。新しいペンニードル２０のそれぞれは、新しいペンニードル２０を封入し、封止し、及びパッケージングするためのカバー２２及びシール２４を含む。新しいペンニードル２０は、ペンニードル容器１０の第１の区画５０に置かれる。第１の区画５０は、使用者が新しいペンニードル２０の１つを取り出すためのドアによってアクセスされる。
【００１７】
カバー２２及びシール２４は、新しいペンニードル２０を薬剤送達ペンに結合するために除去される。続いて、薬剤送達ペン及び新しいペンニードル２０が薬剤送達に使用される。
【００１８】
使用後、使用済みペンニードル３０が第２の区画５２に廃棄される。第２の区画５２は、使用者が上述の使用済みペンニードル３０の１つを配置又は廃棄するために、開口６２によってアクセスされる。
【００１９】
一実施形態では、第１及び第２の区画５０、５２は、可撓性のセパレータ７０によって分離される。このような構成は、有利には、第１及び第２の区画５０、５２について別々の封入を提供する。また、セパレータ７０は、有利には、内容物の混合、具体的には、それぞれの区画５０、５２において、新しい及び使用済みペンニードル２０、３０の混合を防止する。セパレータ７０は、好ましくは、可撓性エラストマー材料で構成され、ストラップ、膜又は固定ラバーバンドを含みうる。セパレータ７０はまた、追加のシーリング保護のために、穴あけに耐性である。
【００２０】
セパレータ７０の端部は、ピン７２を介してハウジング１２に固定される。具体的には、図５に示されるように、ピン７２は、ハウジング１２の内側底面４２に、例えば圧入によって固定される。好ましい実施形態では、セパレータ７０の端部は、ピン７２の回りに滑り込ませるループ状の端部を備える。セパレータ７０の端部は、有利には、自由に回転し、セパレータ７０の移動を妨げないように構成される。
【００２１】
別の実施形態では、セパレータは、例えば接着剤によりピン７２に係合される。更に別の実施形態では、ピン７２は、セパレータ７０の端部の円筒状の棒によって置き換えられる。この円筒状の棒は、ハウジング１２の凹部にフィットする。円筒状の棒は、ハウジングの上部及び底部表面の穴に係合するように伸びることができる。例示的な実施形態が本明細書に開示されるが、種々の固定方法及び取り付け具が、ペンニードル容器１０のセパレータ７０に対して企図される。
【００２２】
セパレータ７０は以下の利点を提供する。セパレータ７０は、第１及び第２の区画５０、５２が、固定ではなく、フレキシブルな又は調節可能な大きさ（体積）となることを可能にする。このような構成は、新しい及び使用済みペンニードル２０、３０の数が、ペンニードル容器１０内のペンニードル２０、３０の寿命及び使用期間で変化するので、有利である。従って、ペンニードル容器１０に存在する新しい及び使用済みペンニードル２０、３０の種々の組み合わせに適合して、区画５０、５２が大きさを変化することは有利である。
【００２３】
別の利点は、第１及び第２の区画５０、５２が、ペンニードル容器１０内のペンニードル２０、３０の寿命及び使用期間で、大きさを変化させる場合、第１の及び第２の区画４０、５２は異なる期間で同じスペースに調節され、同じスペースを占めるように構成される。言い換えれば、第１の区画５０が７個の新しいペンニードル２０を収容し、第２の区画は使用済みペンニードルを含まない場合、セパレータ７０が曲がり、第１の区画５０をより大きくし、第２の区画をより小さくする。図３〜５に示された構成に基づけば、第１の区画５０は第２の区画５２よりも大きい。
【００２４】
一方、第２の区画５２が７個の使用済みペンニードル３０を収容し、第１の区画５０が新しいペンニードル２０を含まない場合、セパレータ７０が曲がり、第２の区画５２をより大きくし、第１の区画をより小さくする。図３〜５に示された構成に基づけば、第２の区画５２は第１の区画５０よりも大きい。
【００２５】
第１の区画５０が広がったとき、及び第２の区画５２が広がったときの異なる時間での、セパレータ７０の可撓性によるセパレータ７０の移動は、同じスペースの使用又はオーバーラップを可能にする。これは、正反対の関係で、一方の区画が広がりながら、他方の区画が縮み、その逆も同じであり、容器１０の全体積が同じに保たれるからである。これは、ペンニードル容器１０の寿命及び使用期間全体で起こる。即ち、第１及び第２の区画５０、５２は、異なる時間で同じスペースを共有することができる。このような構成は、ペンニードル容器１０のコンパクト化をもたらし、２つの柔軟性のない（固定した大きさの）区画と比較したときに、全体の大きさを減少させ、任意の時間で空のスペース（未使用のスペース）の量を減少しつつ、ペンニードル容器１０の利用可能なスペースを最適化する。
【００２６】
ペンニードル容器１０の任意の大きさ及び形状、並びに新しい及び使用済みペンニードル２０、３０の任意の組み合わせがこの開示で考慮されるが、これらは本明細書で説明したのと同様の利点を提供する。例えば、一実施形態によれば、ペンニードル容器１０は、複数の新しいペンニードル２０を含み、使用済みペンニードル３０を含まない。他の実施形態によれば、ペンニードル容器１０は、複数の使用済みペンニードル３０を含み、新しいペンニードル２０を含まない。別の実施形態では、ペンニードル容器１０は、複数の使用済みペンニードル３０と複数の新しいペンニードル２０を含む。
【００２７】
図６は、ペンニードル容器１０の第２の実施形態を示す。この実施形態は、保護用鞘２８０を追加して、図１〜５の構成を全て含む。好ましい実施形態では、保護用鞘２８０及びセパレータ７０は、両方ともハウジング１２に固定され、互いには固定されない。この構成は、有利には、保護用鞘２８０とセパレータ７０が互いに対して動くことを可能にする。
【００２８】
保護用鞘２８０はまた、ハウジング１２の内側表面に固定される。具体的には、保護用鞘２８０は、２つの末端フランジ２８２、上部表面２８４及び底部表面（不可視）を含む。末端フランジ２８２は、ハウジング１２の内側側面４４に、例えば、接着剤、溶接、熱カシメ、リベット及びスナップフィットアセンブリの１つによって固定され及び封止される。
【００２９】
保護用鞘２８０の上部表面２８４は、ハウジング１２の外側上部表面に向い合せの内側上部表面（図示せず）に封止される。保護用鞘２８０の底部表面（図示せず）はまた、ハウジング１２の内側底部表面４２にも封止される。この様式では、保護用鞘２８０は、２つの表面の間で加圧され、封止されるＯ−リングの機能と同様に、ハウジング１２の上部及び底部内側表面４２に加圧により封止される。
【００３０】
保護用鞘２８０は、第１の区画５０内に配置され、有利には、汚染を減少し、生物学的有害物質が第１の区画５０の新しいペンニードル２０と混合するのを防ぐ。保護用鞘２８０はまた、流体の吸収を防ぎ、第２の区画５２から第１の区画５０への汚染物の流入を最小限にする。
【００３１】
代替の実施形態では、保護用鞘２８０は、例えば、熱カシメ又は接着剤によりセパレータ７０に固定され、互いに移動し、曲がることによってセパレータ７０と共働する。従って、保護用鞘２８０及びセパレータ７０は、一つのまとまった部品として機能する。
【００３２】
別の実施形態では。第１及び第２の区画５０、５２の少なくとも１つは、ハウジング１２の内側表面に封止されたプラスチックバッグを含む。この構成では、保護用鞘２８０は必要とされない。これは、一方の区画の内容物がプラスチックバッグによって封入されるので、区画５０、５２の一方の自己密封性によるものである。即ち、一方の区画がプラスチックバッグである場合、汚染物が２つの区画５０、５２の間を通過することができない。
【００３３】
図７及び図８は、上述の第１及び第２の実施形態の一方又は両方を取り込み、更に針曲げ機構３６４を含む、ペンニードル１０の第３の実施形態を例示する。針曲げ機構３６４は、使用済みペンニードルが廃棄用の開口６２に挿入される間に、１以上の使用済みペンニードル３０の針を曲げて使用不能にするように構成される。
【００３４】
具体的には、針曲げ機構３６４は、ハウジング１２の内側に固定され、開口６２に隣接した曲線又は傾斜した表面を含む。他の実施形態では、針曲げ機構３６４は、ハウジング１２に一体化される。針曲げ機構３６４の曲面は、有利には、針をうまく曲げるような種々の角度で使用済みペンニードル３０の針に係合する。
【００３５】
好ましくは、開口６２は、円筒状のガイド通路を含むように構成される。円筒状のガイド通路は、第２の区画５２に伸び、有利には、使用済みペンニードル３０の針が針曲げ機構３６４に確実に向けられるようにする。
【００３６】
動作中では、使用済みペンニードル３０が、ハウジング１２の第２の区画５２に配置されたとき、使用済みペンニードル３０は、まず、開口６２に入る。直ちに、使用済みペンニードル３０の針が針曲げ機構３６４に接触する。針曲げ機構３６４は、使用済みペンニードル３０の針へ強制的に係合するようにハウジング１２に特に配置される。使用者は、使用済みペンニードル３０を開口６２及び針曲げ機構３６４に押し込み、圧を加える。
【００３７】
使用者により加えられた圧力の結果として、針曲げ機構３６４は使用済みペンニードル３０の針を曲げる。即ち針は、使用済みペンニードル３０のハブの方に後ろ向きに曲げられる。言い換えれば、ハウジング１２内の開口６２及び針曲げ機構３６４は、使用済みペンニードル３０の針が案内され、針が曲がるように針曲げ機構３６４に押し付けられる。従って、使用済みペンニードル３０の針は、十分に曲げられ、更なる使用が不可能になる。
【００３８】
使用不能になった後、使用済みペンニードル３０は、曲がった針により長さが減少され、追加の隙間が提供される。従って、使用済みペンニードル３０は、この隙間を通して針曲げ機構３６４から外れることができ、廃棄のための第２の区画５２に完全に入ることができる。言い換えれば、使用済みペンニードル３０のハブが開口を通して、ハウジング１２内に十分に遠くまで押され、完全に針が曲げられると、使用済みペンニードル３０が自由になり、第２の区画５２に入る。
【００３９】
使用済みペンニードル３０が使用不能になることは、ともすれば、多くの使用済みペンニードル３０が密にパッケージングされた構成で第２の区画５２に存在する場合に起こりうるような、セパレータ７０及び／又は保護用鞘２８０の穴あけを低減する。更に、セパレータ７０及び／又は保護用鞘２８０が穴あけに耐性となる必要性が、減少する。
【００４０】
上で開示された実施形態と同様であるが、図示していない別の実施形態では、セパレータ７０は、堅く可動性のものである。具体的には、セパレータ７０は、図５〜７のものと同様に、ピン７２に固定されるが、この場合、ピン７２が、ハウジング１２の内側上部表面（図示せず）及び内側底部表面４２に沿って配置された溝と、可動に係合され、その溝に移動する。従って、第１の区画５０が伸び、第２の区画５２が縮む場合、セパレータ７０は、ピン７２及び溝を介して右に移動又はスライドする。一方、第２の区画５２が伸び、第１の区画５０が縮む場合、セパレータ７０は、ピン７０及び溝を介して左に移動又はスライドする。ピン７２と溝の間の係合は、非常に精密であり、汚染物の通過を低減し、加えて、妨害なくセパレータ７０の滑らかな移動を提供する。
【００４１】
別の図示していない実施形態では、セパレータ７０は、状況に応じて、第１及び第２の区画５０、５２を伸び縮みさせるスライドに代えて、蝶番式に旋回するか、又は回転する。動作中では、一方のピン７２が、セパレータ７０及びハウジング１２に回転可能に固定され、他方のピン７２がハウジング１２の曲線の溝に沿って移動し、これによって、状況に応じて、第１及び第２の区画５０、５２を伸び縮みする。他のピン７２は固定さるが、セパレータ７０の移動の間に、ゆがみを低下するように、適切な位置に回転する。
【００４２】
更に別の図示していない実施形態では、セパレータ７０は、互いに入れ子式になった数個のセグメントで作製される。各セグメントは堅いが、セパレータ７０は曲がった形状であり、移動の間にその長さを変化することができ、有利には、第１及び第２の区画５０、５２のより効果的な物理的分離を提供できる。
【００４３】
特定の例示的実施形態の上述の詳細な説明は、本発明の原理及びその実用的な適用を説明する目的で提供されており、これによって、当業者は様々な実施形態について、及び意図された特定の使用に適する様々な修飾を伴った本発明を理解することができる。この説明は、網羅的であること、又は開示された寸分違わない実施形態に本発明を制限することを必ずしも意図していない。本明細書で開示された実施形態及び／又は要素は、これらが互いに矛盾しない限り、いずれも、互いに組み合わされて、具体的に開示されていない様々な追加の実施形態を形成できる。従って、追加の実施形態が可能であり、この明細書及び本発明の範囲内に含まれることが意図される。本明細書は、他の方法で実現可能な一般的目標を達成するための具体例を説明している。
【００４４】
この適用で使用される、用語「前」、「後ろ」、「上」、「下」、「上方向」、「下方向」及び他の方向を示す語句は、本発明の例示的実施形態の説明を容易にすることを意図したものであり、本発明の例示的実施形態の構造を、任意の特定の位置又は方向に制限することを意図しない。「実質的に」又は「ほぼ」などの程度を示す用語は、与えられた数値の妥当な外側の範囲、例えば、製造、アセンブリ、説明した実施形態の使用に関連した一般的な許容範囲をいうと、当業者に理解される。
【図１】
2021521915.tif 000003
【図２】
2021521915.tif 000004
【図３】
2021521915.tif 000005
【図４】
2021521915.tif 000006
【図５】
2021521915.tif 000007
【図６】
2021521915.tif 000008
【図７】
2021521915.tif 000009
【図８】
2021521915.tif 000010
【国際調査報告】
2021521915.tif 000011
2021521915.tif 000012